(57)【要約】【課題】シースとして可撓性チューブ（マルチルーメンチューブ）を用いた単純な構成でありながら、遠隔操作により繰り返し屈曲させることができて優れた耐久性を備えた内視鏡用処置具を提供すること。【解決手段】シース１が、主ルーメン４を間に挟んだ位置に二つの副ルーメン５，６が形成されたマルチルーメンチューブにより形成されて、シース１の先端近傍部分において先側部分と基側部分とに２分割され、一方の副ルーメン５に湾曲操作ワイヤ１５が軸線方向に進退自在に挿通配置され、シース１の分割部Ａにおいてシース１の先側部分１Ｆと基側部分１Ｂとを間隔をあけて連結するコイルスプリング７が他方の副ルーメン６に取り付けられ、湾曲操作ワイヤ１５が基端側から進退操作されると、シース１が分割部Ａにおいてコイルスプリング７を支点として屈曲する。【選択図】      図１
2012100863.tif 000002
【特許請求の範囲】
【請求項１】
可撓性のある合成樹脂製のチューブからなるシースの先端に先端処置部が設けられて、上記シ−ス内に挿通配置された湾曲操作ワイヤを基端側から進退操作することにより、上記シースの先端近傍部分を屈曲させることができるように構成された内視鏡用処置具において、
上記シースが、主ルーメンを間に挟んだ位置に二つの副ルーメンが形成されたマルチルーメンチューブにより形成されて、上記シースの先端近傍部分において先側部分と基側部分とに２分割され、
上記二つの副ルーメンのうち一方の副ルーメンに上記湾曲操作ワイヤが軸線方向に進退自在に挿通配置され、上記シースの分割部において上記シースの上記先側部分と上記基側部分とを間隔をあけて連結するコイルスプリングが他方の副ルーメンに取り付けられ、
上記湾曲操作ワイヤが基端側から進退操作されると、それに対応して上記シースが上記分割部において上記コイルスプリングを支点として屈曲することを特徴とする内視鏡用処置具。
【請求項２】
上記主ルーメン内に、上記シースの基端側からの操作により上記先端処置部を作動させるための主操作ワイヤが挿通されている請求項１記載の内視鏡用処置具。
【請求項３】
上記主操作ワイヤに電気絶縁被覆が施されている請求項２記載の内視鏡用処置具。
【請求項４】
上記電気絶縁被覆が上記主操作ワイヤにコーティングされたものである請求項３記載の内視鏡用処置具。
【発明の詳細な説明】
【技術分野】
【０００１】
この発明は内視鏡用処置具に関する。
【背景技術】
【０００２】
内視鏡用処置具は内視鏡の処置具挿通チャンネルに通して使用されるものなので、処置具挿通チャンネルに通されるシースは極めて細くて長い可撓性のものであり、その直径は例えば２ｍｍ程度で長さは１〜２ｍ程度である。
【０００３】
そのような処置具の先端が内視鏡の先端から体内に突出した状態のときに、目標とする患部等を容易に狙撃することができるよう、シースの先端近傍部分を手元側からの遠隔操作で任意に屈曲させることができるようにしたものがある。
【０００４】
しかし、シースの径が僅か２ｍｍ程度であって、しかも処置具としての本来の機能を発揮するのに必要なルーメンがシースに確保されている必要があるので、屈曲部の構造は極めて単純なものにならざるを得ない。
【０００５】
そこで、可撓性チューブからなるシースに、径方向に切り込みを形成して、主ルーメン内に挿通された操作ワイヤを押し引きすることにより、シースが切り込み部分で屈曲するようにしていた（例えば、特許文献１、２等）。
【０００６】
また、マルチルーメンチューブからなるシースに同様の切り込みを形成して、主ルーメンの周辺に配置された小さな副ルーメンに通された湾曲操作ワイヤの進退操作により、シースが切り込み部分で屈曲するようにしたもの等もある（例えば、特許文献３）。
【先行技術文献】
【特許文献】
【０００７】
【特許文献１】特開２００２−２５３４９２
【特許文献２】特開２００３−１０１９０
【特許文献３】特開平８−８９４７５
【発明の概要】
【発明が解決しようとする課題】
【０００８】
屈曲部の構造が極めて単純なものにならざるを得ない内視鏡用処置具においては、上述のように、シースを形成するチューブに径方向に切り込みを形成して、シースがそこで屈曲するようにするのが屈曲性の点等から優れている。
【０００９】
しかし、そのような構成では、切り込みで切除されずに残されたシースの僅かな壁部分を支点にシースが屈曲するので、可撓性チューブからなるシースがその部分で短期間に劣化して屈曲動作が不安定になったり、破断したりする場合がある。
【００１０】
本発明は、シースとして可撓性チューブ（マルチルーメンチューブ）を用いた単純な構成でありながら、遠隔操作により繰り返し屈曲させることができて優れた耐久性を備えた内視鏡用処置具を提供することを目的とする。
【課題を解決するための手段】
【００１１】
上記の目的を達成するため、本発明の内視鏡用処置具は、可撓性のある合成樹脂製のチューブからなるシースの先端に先端処置部が設けられて、シース内に挿通配置された湾曲操作ワイヤを基端側から進退操作することにより、シースの先端近傍部分を屈曲させることができるように構成された内視鏡用処置具において、シースが、主ルーメンを間に挟んだ位置に二つの副ルーメンが形成されたマルチルーメンチューブにより形成されて、シースの先端近傍部分において先側部分と基側部分とに２分割され、二つの副ルーメンのうち一方の副ルーメンに湾曲操作ワイヤが軸線方向に進退自在に挿通配置され、シースの分割部においてシースの先側部分と基側部分とを間隔をあけて連結するコイルスプリングが他方の副ルーメンに取り付けられ、湾曲操作ワイヤが基端側から進退操作されると、それに対応してシースが分割部においてコイルスプリングを支点として屈曲するものである。
【００１２】
なお、主ルーメン内に、シースの基端側からの操作により先端処置部を作動させるための主操作ワイヤが挿通されていてもよい。また、主操作ワイヤに電気絶縁被覆が施されていてもよく、電気絶縁被覆が主操作ワイヤにコーティングされたものであってもよい。
【発明の効果】
【００１３】
本発明によれば、湾曲操作ワイヤを進退操作することにより、シースがその分割部において、曲げに対する耐久性の優れたコイルスプリングを支点として屈曲するので、シースとして可撓性のマルチルーメンチューブを用いただけの単純な構成でありながら、遠隔操作により繰り返し屈曲させることができて、優れた耐久性を備えることができる。
【図面の簡単な説明】
【００１４】
【図１】本発明の実施例に係る内視鏡用処置具の分割部付近の側面断面図である。
【図２】本発明の実施例に係る内視鏡用処置具の図１におけるII−II断面図である。
【図３】本発明の実施例に係る内視鏡用処置具が分割部で屈曲した状態の側面断面図である。
【図４】本発明の実施例に係る内視鏡用処置具の分割部で逆方向に屈曲した状態の側面断面図である。
【図５】本発明の実施例に係る内視鏡用処置具の全体構成図である。
【発明を実施するための形態】
【００１５】
以下、図面を参照して本発明の実施例を説明する。
図５は、内視鏡用処置具の全体構成を示しており、１は、図示されていない内視鏡の処置具挿通チャンネルに挿通される可撓性のシースであり、例えばフッ素樹脂等のような滑りのよい合成樹脂材製のマルチルーメンチューブで形成されている。シース１の直径（外径）は例えば２ｍｍ程度、全長は例えば１〜２ｍ程度である。
【００１６】
シース１の最先端には、内視鏡用処置具の先端処置部２が配置されている。この実施例の先端処置部２は生検組織を採取するための一対の鉗子カップであり、嘴状に開閉させることができる。ただし本発明は、先端処置部２が鉗子カップ以外の内視鏡用処置具であっても適用することができる。
【００１７】
シース１の基端には、オペレータが手で操作するための操作部１０が連結されている。シース１の基端が連結固定された細長い操作部本体１１には、先端処置部２を遠隔的に開閉操作するためのカップ開閉用スライダ１２が、操作部本体１１の長手方向に沿ってスライド自在に取り付けられている。
【００１８】
カップ開閉用スライダ１２には、先端処置部２を開閉させるためにシース１内に進退自在に全長にわたって挿通配置されたカップ開閉用操作ワイヤ１３の基端が連結固定されており、カップ開閉用スライダ１２を矢印Ｐで示されるように進退操作すると、それによってカップ開閉用操作ワイヤ１３が進退して先端処置部２が嘴状に開閉する。
【００１９】
１４は、図示されていない高周波電源コードを接続するための接続端子であり、カップ開閉用操作ワイヤ１３を経由して先端処置部２に高周波電流を通電し、いわゆるホットバイオプシーを行うことができる。
【００２０】
操作部本体１１には、湾曲操作用スライダ１６が、カップ開閉用スライダ１２とは独立してカップ開閉用スライダ１２と直列の位置関係に、操作部本体１１の長手方向に沿ってスライド自在に取り付けられている。湾曲操作用スライダ１６には、シース１内に進退自在に全長にわたって挿通配置された湾曲操作ワイヤ１５の基端が連結固定されている。
【００２１】
その結果、シース１は、湾曲操作用スライダ１６を矢印Ｑで示されるように進退操作することにより、シース１の先端近傍に設けられた分割部Ａにおいて、任意に屈曲させることができる。
【００２２】
図１は分割部Ａ付近を拡大して示している。マルチルーメンチューブであるシース１には、II−II断面を図示する図２にも示されるように、主ルーメン４と、その主ルーメン４を間に挟んだ位置に二つの副ルーメン５，６が全長にわたって形成されている。これらのルーメン４，５，６の各中心は、シース１の一つの直径の線上に位置している。
【００２３】
主ルーメン４内には、シース１の基端側に連結された操作部１０からの操作により先端処置部２を作動させるための導電性の柔軟な撚り線からなるカップ開閉用操作ワイヤ１３が、全長にわたって緩く挿通配置されている。
【００２４】
カップ開閉用操作ワイヤ１３の外周面には、少なくとも分割部Ａ付近の領域において、例えばフッ素樹脂等からなる電気絶縁性コーティング１３Ｃ（電気絶縁被覆）が被覆されている。
【００２５】
二つの副ルーメン５，６のうち第１の副ルーメン５には、操作部１０側から押し引き操作される湾曲操作ワイヤ１５が軸線方向に進退自在に挿通配置されている。湾曲操作ワイヤ１５の先端（図示せず）は、分割部Ａより先端寄りの位置においてシース１に対し直接固定され、或いは固定金具等を介して間接的にシース１に固定されている。
【００２６】
図１に示されるように、シース１は分割部Ａにおいて、それより先側の先側部分１Ｆと基側の基側部分１Ｂとに２分割されており、分割部Ａにおいて第２の副ルーメン６に取り付けられたコイルスプリング７により、シース１の先側部分１Ｆと基側部分１Ｂとが間隔をあけて連結されている。
【００２７】
コイルスプリング７は、例えばステンレス鋼細線材等を一定の径で密着巻きして形成されたものであり、第２の副ルーメン６内にきつく圧入固定される外径寸法に形成されている。ただし、コイルスプリング７が第２の副ルーメン６内にねじ込み固定、或いは接合固定されるような構成であっても差し支えない。
【００２８】
コイルスプリング７は、分割部Ａにおいてシース１の先側部分１Ｆと基側部分１Ｂの双方の第２の副ルーメン６の端部内に圧入固定されており、それによって、シース１が、分割部Ａにおいて軸線方向に所定の間隔（例えば数ｍｍ程度）をあけた状態で真っ直ぐに一つながりに組み立てられている。
【００２９】
それによって、シース１内の主ルーメン４と第１の副ルーメン５が各々分割部Ａにおいて位置ずれすることなく真っ直ぐの状態になっており、カップ開閉用操作ワイヤ１３と湾曲操作ワイヤ１５が各々、分割部Ａにおいて曲がったりすることなく、主ルーメン４と第１の副ルーメン５内に個別に真っ直ぐに通されている。
【００３０】
なお、カップ開閉用操作ワイヤ１３の先端は、先端処置部２を開閉駆動するための公知のリンク機構（図示せず）に連結され、湾曲操作ワイヤ１５の先端は前述のように分割部Ａより先端寄りの位置においてシース１に対し固定されている。
【００３１】
上述のように構成された実施例の内視鏡用処置具は、湾曲操作ワイヤ１５が操作部１０側から牽引操作されると、図３に示されるように、シース１が、分割部Ａにおいてコイルスプリング７を支点として、湾曲操作ワイヤ１５が配置されている側に湾曲操作ワイヤ１５の牽引量に対応する角度だけ屈曲する。そして、分割部Ａにおいてシース１の先側部分１Ｆと基側部分１Ｂとがぶつかった状態になると、それ以上はシース１を屈曲させることができなくなる。
【００３２】
逆に、湾曲操作ワイヤ１５が操作部１０側から押し込み操作されると、図４に示されるように、シース１が、コイルスプリング７を支点として、湾曲操作ワイヤ１５が配置されているのと反対側に分割部Ａで屈曲する。
【００３３】
その屈曲の程度には、湾曲操作ワイヤ１５とコイルスプリング７の各々の腰の強さが関係しており、湾曲操作ワイヤ１５の腰の強さがコイルスプリング７の腰の強さとの比較において弱過ぎると屈曲可能角度が小さくなる。
【００３４】
このように、本発明においては、操作部１０から湾曲操作ワイヤ１５を進退操作することにより、シース１が分割部Ａにおいて曲げに対する耐久性の優れたコイルスプリング７を支点として屈曲動作をする。
【００３５】
したがって、シース１として可撓性チューブ（マルチルーメンチューブ）を用いた単純な構成でありながら、遠隔操作により容易に繰り返し屈曲させることができて、コイルスプリング７からなる支点部分が長期間にわたって劣化することのない優れた耐久性を備えることができる。
【符号の説明】
【００３６】
１  シース
１Ｆ  先側部分
１Ｂ  基側部分
２  先端処置部
４  主ルーメン
５  第１の副ルーメン
６  第２の副ルーメン
７  コイルスプリング
１０  操作部
１３  カップ開閉用操作ワイヤ（主操作ワイヤ）
１３Ｃ  電気絶縁性コーティング（電気絶縁被覆）
１５  湾曲操作ワイヤ
Ａ  分割部
【図１】
2012100863.tif 000003
【図２】
2012100863.tif 000004
【図３】
2012100863.tif 000005
【図４】
2012100863.tif 000006
【図５】
2012100863.tif 000007